(57)【要約】【課題】インテリア性に富みながら、その場の雰囲気にも対応しえるフレキシビリティを備え、かつ、飼い主が心からペットの往時を偲べるように創作されたペット用メモリアル装飾品を提供する。【解決手段】箱形の本体部２と、該本体部２の一側辺部にヒンジ部材３を介して開閉自在に取付けられた蓋部４とよりなり、前記本体部２内には、装飾部品６とともに、亡くなったペットの遺骨を収容する袋体５が一体に収納され、該袋体５はリボン状にデザインされていることを特徴とする。【選択図】図１
0003178867.tif 000002
【実用新案登録請求の範囲】
【請求項１】
箱形の本体部と、該本体部の一側辺部にヒンジ部材を介して開閉自在に取付けられた蓋部とよりなり、
前記本体部内には、装飾部品とともに、亡くなったペットの遺骨を収容する袋体が一体に収納され、該袋体はリボン状にデザインされていることを特徴とするペット用メモリアル装飾品。
【請求項２】
請求項１に記載のペット用メモリアル装飾品において、
前記袋体がサテン生地からなることを特徴とするペット用メモリアル装飾品。
【請求項３】
請求項１又は２に記載のペット用メモリアル装飾品において、
前記蓋部の内面側が額状に構成されていることを特徴とするペット用メモリアル装飾品。
【請求項４】
請求項３に記載のペット用メモリアル装飾品において、
前記蓋部の内面側に、前記ペットの遺影、前記ペットの遺毛及び装飾部品があしらわれたメモリアルシートが取付けられていることを特徴とするペット用メモリアル装飾品。
【請求項５】
請求項１〜４のいずれか一項に記載のペット用メモリアル装飾品において、
前記ヒンジ部材の構成部材が相互に分離可能とされ、前記蓋部が本体部から取外し可能とされていることを特徴とするペット用メモリアル装飾品。
【請求項６】
請求項１〜請求項５のいずれか一項に記載のペット用メモリアル装飾品において、
前記本体部に用いられる装飾部品が、プリザードフラワーを含むことを特徴とするペット用メモリアル装飾品。
【請求項７】
請求項４に記載のペット用メモリアル装飾品において、
前記蓋部に用いられる装飾部品が、押し花を含むことを特徴とするペット用メモリアル装飾品。
【考案の詳細な説明】
【技術分野】
【０００１】
本考案は、飼い主が、亡くなった犬や猫等のペットの往時を偲べるように創作されたペット用メモリアル装飾品に関する。
【背景技術】
【０００２】
近時、犬や猫等のペットは、飼い主の癒し効果が大きく、飼い主は家族の一員のようにかわいがる風潮も多く見られるようになってきた。それだけに、ペットが亡くなった時の飼い主の悲しみや、その往時を偲ぶ思いも強いものがあり、このような飼い主の思いを満たすように、火葬後、遺骨や遺毛を手元に置く人も多くなっている。この場合、遺骨は骨壺のまま、遺毛は引き出しの中にしまわれたままや、紙に包まれたままとなってしまいがちとなる。骨壺のまま居室等に置いておくと、来客があった時に客に不快感を与えたり、あるいは、家人にとってもいつまでも悲しい思い出を呼び起こすことにもなってしまう。  また、遺毛については、前記のような保管の仕方によっては、家人が目にする機会が少ないため、亡くなったペットを思い出したり、身近に感じたりすることができなくなる。
【０００３】
特許文献１には、台座と、台座上に保持された表示部と、台座上に載置されたメモリアル収納容器とからなるメモリアル用品が記載されている。そして、メモリアルの対象がペットの場合には、前記表示部に、ペットの名称、愛称、没年月日、足跡などをレーザー彫刻等によって表示し、あるいは、メモリアル対象の写真（遺影）を収納させ、メモリアル収納容器にはペットの遺骨や遺髪（遺毛）が収納される例が記載されている。また、特許文献２には、ペット用ではないが、写真を取付ける部材と母子手帳などを収める記念資料収容部とを備える蓋部と、手形レリーフブロンズ板を取付ける部材と記念品収容部とを備える本体部とよりなる子供の誕生記念収納箱が記載されている。
【先行技術文献】
【特許文献】
【０００４】
【特許文献１】特開２００８−１１３９４１号公報
【特許文献２】特開２００５−９５２２３号公報
【考案の概要】
【考案が解決しようとする課題】
【０００５】
ところで、特許文献１に記載されたメモリアル用品において、メモリアル対象がペットである例では、台座上に形成した載置部に持ち運び可能に載置されるメモリアル収納容器（カプセル容器）に遺骨や遺髪が収納される。しかし、遺骨や遺髪を収納するカプセル容器は、堅いイメージがぬぐえず、他の構成部（例えば、没年月日等が表示された表示部）と共に、インテリア性よりもメモリアル性が強調されるものであると解される。また、居室等に置いておくスタイルが１パターンであるため、例えば、来客時に、その雰囲気にそぐわなくなる場合等においては、別室への移動を考慮する必要が生じることも予想される。一方、特許文献２の誕生記念収納箱は、亡くなったペットの遺骨や、遺髪を収納するということは想定せず、ましてや、遺骨を、他人にはそれを想起させないようにさりげなく装飾性を以って収納するという考えはない。
【０００６】
本考案は、前記に鑑みなされたものであり、インテリア性に富みながら、その場の雰囲気にも対応しえるフレキシビリティを備え、かつ、飼い主が心からペットの往時を偲べるように創作されたペット用メモリアル装飾品を提供することを目的とする。
【課題を解決するための手段】
【０００７】
本考案に係るペット用メモリアル装飾品は、箱形の本体部と、該本体部の一側辺部にヒンジ部材を介して開閉自在に取付けられた蓋部とよりなり、前記本体部内には、装飾部品とともに、亡くなったペットの遺骨を収容する袋体が一体に収納され、該袋体はリボン状にデザインされていることを特徴とする。
【０００８】
本考案によれば、ペットの遺骨はリボン状にデザインされた袋体に収容され、他の装飾部品とともに本体部内に一体に収納されているから、本体部が装飾性に富み、飼い主は往時を偲びながら、そのインテリア性を享受することができる。また、リボン状にデザインされた袋体は、軟らかいイメージを醸し出し、遺骨の存在を意識させないから、客人はインテリアとしての認識はしても不快感を覚えるような懸念もない。さらに、蓋部によって本体部を閉じることができるから、雰囲気によっては、本体部の内部を視覚させないようにすることができる。
【０００９】
本考案において、前記袋体がサテン生地からなるものとしても良い。これによれば、サテン生地の独特の風合いとリボン状のデザインとがマッチングして一層その装飾性が向上し、しかもサテン生地は緻密に編まれているから、収容されている遺骨が粉状化しても漏れ出る懸念がない。
【００１０】
本考案において、前記蓋部の内面側が額状に構成されているものとしてもよい。この場合、前記蓋部の内面側に、前記ペットの遺影、前記ペットの遺毛及び装飾部品があしらわれたメモリアルシートを取付けるようにしても良い。これによれば、蓋部を開けた状態で立てかけるようにすれば、蓋部の内面側に取付けられた前記メモリアルシートが額状に縁どられて視認され、これと本体部の内部に収納された前記リボン状袋体とにより、飼い主は往時をより強く偲ぶことができる。特に、ペットの遺影、遺毛及び装飾部品があしらわれたメモリアルシートを額状に縁どられた状態で視覚されるから、亡くなったペットをより身近に感じることができる。
【００１１】
本考案において、前記ヒンジ部材の構成部材が相互に分離可能とされ、前記蓋部が本体部から取外し可能とされているものとしても良い。これによれば、蓋部のみを取り外して壁等に掛けることが可能となる。
【００１２】
本考案において、前記本体部に用いられる装飾部品が、プリザードフラワーを含むものとしても良い。これによれば、本体部は箱形であるから、嵩のあるプリザードフラワーも収納でき、これと前記リボン状の袋体とがマッチングして、立体的な雰囲気を醸し出し、より装飾性が高められる。また、本考案において、前記蓋部に用いられる装飾部品が、押し花を含むものとしても良い。これによれば、前記メモリアルシートに取付けられる遺影や遺毛がこの押し花によって、より装飾性を以って視覚され、飼い主の前記気持ちを和ませることができる。
【考案の効果】
【００１３】
本考案に係るペット用メモリアル装飾品によれば、飼い主が家族の一員として可愛がったペットの死を弔いたいとする要望に充分に応えることができる。そして、インテリア性に富みながら、その場の雰囲気にも対応し得るフレキシビリティを備え、かつ、飼い主が心からペットの往時を偲ぶことができる。
【図面の簡単な説明】
【００１４】
【図１】本考案に係るペット用メモリアル装飾品の一実施形態を示す斜視図である。
【図２】同ペット用メモリアル装飾品の蓋部を閉じた状態を本体部側から見た斜視図である。
【図３】同ペット用メモリアル装飾品の蓋部を閉じた状態を蓋部側から見た斜視図である。
【図４】本体部の部分拡大断面図である。
【図５】蓋部の部分拡大断面図である。
【図６】蓋部が本体部から取外可能に構成される一例を示す部分破断分解正面図である。
【考案を実施するための形態】
【００１５】
以下、本考案のペット用メモリアル装飾品の実施の形態について図面に基づき説明する。図１〜図５に示すように、ペット用メモリアル装飾品１は、大略的に、箱形の本体部２と、該本体部２の一側辺部にヒンジ部材３を介して開閉自在に取付けられた蓋部４とよりなる。図例の本体部２は一面が開口する直方体形状の升形に構成され、前記蓋部４は本体部２の開口部を閉塞可能に取付けられている。また、本体部２は、方形の外枠体２ａと、ガラス板やアクリル板からなる透明板（ダストカバーとも呼ばれる）２ｂと、前記外枠体２ａより奥行き寸法が小さい方形の内枠体２ｃと、底板２ｄとよりなる。前記底板２ｄには後記する袋体５や装飾部品６が一体に取付けられている。前記外枠体２ａの蓋部４側の開口部には、内向きの鍔部２ａａが形成されている。このような部材で構成される本体部２は、以下の要領で組み立てられる。即ち、前記外枠体２ａの枠内に前記開口部とは反対側（背面側）から前記透明板２ｂを嵌め込み、その周縁部分を前記鍔部２ａａの内面に宛がうよう当接させ、次いで、前記内枠体２ｃを外枠体２ａの枠内に背面側から嵌挿し前記透明板２ｂに当接させる。更に、前記底板２ｄを、前記袋体５や装飾部品６が取付けられた面を前記内枠体２ｃの枠内に向くようにして前記外枠体２ａの枠内に嵌め込む。該外枠体２ａは、前記外枠体２ａの背面部にビス２ｅａによって回転自在に取付けられた留め具（通称、トンボ、猿鐶、ツノジとも呼ばれるものと類似）２ｅによって、前記外枠体２ａの背面側に取外可能に固定される。
【００１６】
蓋部４は、額状に構成され、フレーム部４ａと、フレーム部４ａの前面側（本体部２に対向する内面側）に嵌め込まれる前記と同様の透明板４ｂと、マット４ｃと、後記するメモリアルシート７と、裏板４ｄとよりなる。このような部材で構成される蓋部４は、以下の要領で組み立てられる。即ち、前記透明板４ｂを、前記フレーム部４ａの内周部に形成された鍔部４ａａの内面に宛がうように当接させ、次いで、前記マット４ｃ、メモリアルシート７及び裏板４ｄをこの順序で前記フレーム４ａの枠内に嵌め込む。そして、フレーム４ａの枠内に嵌め込まれたこれら部材を、前記フレーム部４ａの背面部にビス４ｅａによって回転自在に取付けられた留め具（同上）４ｅによって、前記枠体４ａの枠内に取外し可能に固定する。前記マット４ｃは、透明板４ｂとメモリアルシート７にあしらわれる装飾部品８，９や遺毛１０との接触を防止するようスペーサ的な機能を奏するものであるが、透明板４ｂとこれら装飾部品等が密着している方が装飾的に好まれる場合にはなくても良い。
【００１７】
前記本体部２と蓋部４とは、平蝶番からなる２個のヒンジ部材３によって結合されている。即ち、該平蝶番（ヒンジ部材）３は、前記本体部２における枠体２ａの一側辺部の外側部及び前記蓋部４におけるフレーム部４ａの一側辺部の外側部のそれぞれに固定される一対の翼片（ヒンジ部材の構成部材）３ａ，３ａと、両翼片３ａ，３ａを互いに開閉可能に結合するヒンジ軸（ヒンジ部材の構成部材）３ｂとよりなる。この平蝶番３によって、図１に示すように、蓋部４が本体部２に対して１８０°以下の開いた状態、或いは、図２及び図３に示すように閉じた状態とすることができる。この場合、ヒンジ軸３ｂを、翼片３ａ，３ａに対して抜き差し自在とし、両翼片３ａ，３ａが相互に分離可能とされた平蝶番を採用することにより、蓋部４が本体部２から取外し可能とされる。
【００１８】
前記本体部２の底板２ｄに一体に取付けられる袋体５は、サテン生地からなり、図示のようにリボン状にデザインされ、その内部には、需要者（飼い主）から提供される不図示のペットの遺骨が充填されている。このサテン生地の色相は、製作者のモチーフにより、或いは、需要者の好みにより、白色、ベージュ色、薄ピンク色、薄水色等が適宜選択される。また、底板２ｄに一体に取付けられる装飾部品６として、プリザードフラワーが望ましく採用され、前記袋体５とともに底板２ｄに一体に取付けられた状態で前記本体部２内に収納されている。プリザードフラワー（装飾部品）６も、製作者のモチーフにより、或いは、需要者の好みにより、袋体５との組み合わせによるマッチングを考慮して、ばらの花や、その他の花が色相も含めて適宜選択される。このプリザードフラワー６と袋体５との立体的なマッチングと、マッチングにより醸し出される特有の装飾性とにより、ペットの飼い主には、ペットの往時を偲び、ペットに対する厳かな弔いの気持ちが効果的に惹起される。
【００１９】
前記蓋部４に、透明板４ｂと裏板４ｄとの間にマット４ｃを介して挟まれた状態で取付けられるメモリアルシート７には、ペット（図例では犬）の遺影８と、その周りの押し花からなる装飾部品９と、さらにその周りのペットの遺毛１０とが、貼付された状態であしらわれている。図例では、さらに、布紐によるリボン１１が装飾部品の一部として同様に貼付されている。ペットの遺影８及び遺毛１０は需要者から提供され、前記と同様に、製作者のモチーフにより、或いは、需要者の好みにより、前記装飾部品９，１１がペットの遺影８及び遺毛１０との装飾的マッチングを顧慮して適宜選択されて、メモリアルシート７の表面の適宜位置に貼付される。この場合、遺影８をメモリアルシート７の所定位置にプリントし、その周りに前記装飾部品９，１１及び遺毛１０を貼付するようにしても良い。また、蓋部４が額状に構成されていることにより、異なる種類（異なるイメージにあしらわれた）の別のメモリアルシート７や、遺影のみのシートを複数準備しておけば、これらを適宜差し替えることが可能で、需要者はその時々に応じて雰囲気を変えることもできる。
【００２０】
前記のように構成されるペット用メモリアル装飾品１は、図１に示すように前記蓋部４が開かれた状態で、居室内の棚やサイドボード（いずれも不図示）等の上に置かれる。飼い主は、このように置かれた状態では、本体部２内に収納された袋体５及び装飾部品６と、蓋部４に取付けられたメモリアルシート７上の遺影８、その周囲の装飾部品９，１１及び遺毛１０とを同時に視認することができ、これによって、家族の一員として可愛がってきたペットの往時を偲ぶ思いをより強くすることができる。そして、来客時や、悲しい思い出から逃れたい気持ちになった時等においては、図２及び図３に示すように、蓋部４を閉じ、人目の触れない場所等に保管することができる。また、前記平蝶番３のヒンジ軸３ｂが抜き差し可能に構成されている場合は、ヒンジ軸３ｂを抜きとり、本体部２と蓋部４とを分離して別々に置くことができる。この場合、蓋部４は、フレーム部４ａの背面に適宜吊金具（不図示）を取付けておくことにより、居室の壁面等に掛けることができるよう構成される。
【００２１】
図６は、蓋部４が本体部２から取外可能に構成される別の構成例を示している。前記の例では、ヒンジ部材３が、平蝶番から構成されているが、この例では、蓋部４におけるフレーム部４ａの一側辺部の外側部には、ヒンジピン３ｃが取付ブラケット３ｄを介して、前記一側辺部に平行且つ下向きに固設されている。一方、前記本体部２における一側辺部の外側部には、前記ヒンジ軸３ｃを挿入し得る軸孔３ｅを有する筒状の支持ブロック３ｆが固設されている。これらヒンジピン３ｃを有する取付ブラケット３ｄと、軸孔３ｅを有する支持ブロック３ｆとは、ヒンジ部材３の構成部材とされ、図例では、当該ヒンジ部材３が上下に一対設けられている。
なお、図６では、本体部２に収納される袋体５及び装飾部品６、蓋部４に取付けられる前記メモリアルシート７上の遺影８、装飾部品９，１１及び遺毛１０（いずれも、図１参照）の図示を省略している。
【００２２】
図６に示すようなヒンジ部材３を備えるペット用メモリアル装飾品１においては、蓋部４側の前記ヒンジピン３ｃを、本体部２側の支持ブロック３ｆの軸孔３ｅに、図６の１点鎖線で示すように挿入し、各取付ブラケット３ｄが支持ブロック３ｆに支持される。これによって、図１と同様に、蓋部４が本体部２に対して開閉自在に取付けられたペット用メモリアル装飾品１が構成される。このように構成されるペット用メモリアル装飾品１においては、蓋部４が本体部２に対して、ヒンジピン３ｃ及び軸孔３ｆの軸心回りに回動可能とされ、蓋部４を、図１に示すように本体部２に対して開いた状態、或いは、図２及び図３に示すように閉じた状態とすることができる。そして、蓋部２を持ち上げれば、前記ヒンジ部材の各構成部材（取付ブラケット３ｄ及び支持ブロック３ｆ）が互いに分離され、蓋部４を本体部２から取外すことができる。取外された蓋部４は、前記と同様に、そのフレーム部４ａの背面に、前記吊金具（不図示）を取付けておくことにより、居室の壁面等に掛けることができるよう構成される。
【００２３】
なお、前記実施形態では、ペットが犬の場合を例に採って述べたが、これに限らず猫等の毛皮で覆われた四足動物や、鳥であっても良い。後者の場合、遺毛は鳥から抜けた羽根に代替される。また、装飾部品６、９，１１は、例示のものに限らず他の装飾部品（例えば、ビーズ等）であっても良く、これらを製作者のモチーフ等に基づき適宜組み合わせてあしらうことはもとより可能である。さらに、例示した蓋部４と本体部２との分離可能な構成では、蓋部４を独立して壁掛用とする場合、ヒンジ部材３の構成部材が露見され、これが体裁を損なうことになる懸念があるので、このような仕様とする場合は、何らかの手段で、少なくとも正面視してヒンジ部材３の構成部材が露見されないように構成することが望ましい。加えて、ペット用メモリアル装飾品１の全体形状が直方体（正面視して方形）である例を示したが、これに限らず、箱形の形状であれば、正面して、三角形、六角形、八角形等の多角形や、台座部を備えた円形、長円形、楕円形等であっても良い。
【符号の説明】
【００２４】
１                              ペット用メモリアル装飾品
２                              本体部
３                              平蝶番（ヒンジ部材）
３ａ                            翼片（ヒンジ部材の構成部材）
３ｂ                            ヒンジ軸（ヒンジ部材の構成部材）
３ｄ                            ブラケット（ヒンジ部材の構成部材）
３ｆ                            支持ブロック（ヒンジ部材の構成部材）
４                              蓋部
５                              袋体
６                              プリザードフラワー（装飾部品）
７                              メモリアルシート
８                              遺影
９                              押し花（装飾部品）
１０                            遺毛
１１                            リボン（装飾部品）
【図１】
0003178867.tif 000003
【図２】
0003178867.tif 000004
【図３】
0003178867.tif 000005
【図４】
0003178867.tif 000006
【図５】
0003178867.tif 000007
【図６】
0003178867.tif 000008